(57)【要約】【課題】バックライトアセンブリの消費電力が節減され、表示装置の表示品質が向上される表示基板、その製造方法、バックライトアセンブリ、及び表示装置を提供する。【解決手段】バックライトアセンブリは、駆動モードによって個別的に駆動される第１バックライトユニット及び第２バックライトユニットと、その間に配置された光遮断部材を有する。又、バックライトアセンブリは、第１光を出射する第１光源及び第１光と異なる色の第２光を出射する第２光源と光ガイドユニットを有する。表示基板はスイッチング素子と電気的に連結され、サブ駆動領域に形成され、外部から入射する光を反射させる反射板を有する。表示パネルは、メイン表示部とサブ表示部とを有する。表示パネルは、メイン表示部に第１光の色を変更させて画像を表示し、サブ表示部に第２光の色を維持して画像を表示する。【選択図】図２
2007027099.tif 000002
【特許請求の範囲】
【請求項１】
メインモードで表示パネルのメイン表示部に第１光を出射して、サブモードでオフされる第１バックライトユニットと、
メインモード及びサブモードで前記表示パネルのサブ表示部に第２光を出射する第２バックライトユニットと、
前記第１バックライトユニットと前記第２バックライトユニットとの間に配置された光遮断部材と、を有することを特徴とするバックライトアセンブリ。
【請求項２】
前記第１バックライトユニットは、前記第１光を出射する第１光源、及び前記第１光を前記メイン表示部に導く第１光ガイドユニットを含み、
前記第２バックライトユニットは、前記第２光を出射する第２光源、及び前記第２光を前記サブ表示部に導く第２光ガイドユニットを含むことを特徴とする請求項１記載のバックライトアセンブリ。
【請求項３】
前記第１バックライトユニット及び第２バックライトユニットを収納する収納容器を更に含み、
前記光遮断部材は、前記収納容器から突出して形成されることを特徴とする請求項２記載のバックライトアセンブリ。
【請求項４】
前記光遮断部材は、前記第１光ガイドユニットと第２光ガイドユニットとが接する領域に配置された光遮断シートであることを特徴とする請求項２記載のバックライトアセンブリ。
【請求項５】
第１光を出射する第１光源及び該第１光と異なる色を有する第２光を出射する第２光源を含む光源ユニットと、
前記光源ユニットから提供された前記第１光及び第２光を導いて出射する光ガイドユニットと、を有することを特徴とするバックライトアセンブリ。
【請求項６】
前記第１光源は、白色光を出射する第１発光ダイオードを含み、
前記第２光源は、赤色光、緑色光、及び青色光のうち、いずれか一つの光を出射する第２発光ダイオードを含むことを特徴とする請求項５記載のバックライトアセンブリ。
【請求項７】
前記光源ユニット及び光ガイドユニットを収納する収納容器と、
前記第１光源及び第２光源に電源電流を供給する電源供給部と、を更に含むことを特徴とする請求項５記載のバックライトアセンブリ。
【請求項８】
前記光ガイドユニットは、
前記収納容器の底板に配置される導光板と、
前記導光板上に配置され前記導光板から出射する光の輝度均一性及び正面輝度を向上させる光学シートと、を含むことを特徴とする請求項７記載のバックライトアセンブリ。
【請求項９】
前記第１光源及び第２光源は、前記導光板の同一側面に配置されることを特徴とする請求項８記載のバックライトアセンブリ。
【請求項１０】
前記導光板は、
前記第１光源が配置される第１側面と、
前記第２光源が配置され、前記第１側面と対向する第２側面と、を有することを特徴とする請求項８記載のバックライトアセンブリ。
【請求項１１】
前記導光板は、
前記第１光源が配置される第１側面と、
前記第２光源が配置され、前記第１側面と所定の角度をなすように前記第１側面に連結される第２側面と、を有することを特徴とする請求項８記載のバックライトアセンブリ。
【請求項１２】
前記電源供給部は、メインモード時、前記第１光源の駆動のための電源電流を供給し、
サブモード時、前記第２光源の駆動のための電源電流を供給することを特徴とする請求項７記載のバックライトアセンブリ。
【請求項１３】
前記光ガイドユニットは、
前記第１光源が配置され、前記第１光を導いて出射するメイン導光板と、
前記第２光源が配置され、前記第２光を導いて出射するサブ導光板と、
前記メイン導光板及びサブ導光板上に配置された光学シートと、を含むことを特徴とする請求項７記載のバックライトアセンブリ。
【請求項１４】
前記収納容器は、底板、及び前記底板から前記メイン導光板及びサブ導光板の間に突出して形成された遮断壁を含むことを特徴とする請求項１３記載のバックライトアセンブリ。
【請求項１５】
前記光ガイドユニットは前記メイン導光板とサブ導光板との間に配置され、前記メイン導光板とサブ導光板との間に光が流出することを遮断する反射膜を更に含むことを特徴とする請求項１３記載のバックライトアセンブリ。
【請求項１６】
前記光学シートは、
前記メイン導光板上に配置されるメイン光学シートと、
前記サブ導光板上に配置されるサブ光学シートと、を含むことを特徴とする請求項１３記載のバックライトアセンブリ。
【請求項１７】
前記電源供給部は、メインモード時、前記第１光源及び第２光源の駆動のための電源電流を供給し、
サブモード時、前記第２光源の駆動のための電源電流を供給することを特徴とする請求項７記載のバックライトアセンブリ。
【請求項１８】
選択的にメイン画像データを表示するメイン表示部、及び常時に付加画像データを表示するサブ表示部を含む表示パネルと、
前記メイン表示部に第１光を出射する第１バックライトユニット、及び前記サブ表示部に第２光を出射する第２バックライトユニットを含むバックライトアセンブリと、
メインモード時、前記第１バックライトユニットに駆動電源を提供し、メインモード及びサブモード時、前記第２バックライトユニットに駆動電源を提供するように前記第１及び第２バックライトユニットを制御する駆動回路部と、を有することを特徴とする表示装置。
【請求項１９】
前記第１バックライトユニットは、前記第１光を出射する第１光源、及び前記第１光を前記メイン表示部に導く第１光ガイドユニットを含み、
前記第２バックライトユニットは、前記第２光を出射する第２光源、及び前記第２光を前記サブ表示部に導く第２光ガイドユニットを含むことを特徴とする請求項１８記載の表示装置。
【請求項２０】
前記第１光ガイドユニット及び第２光ガイドユニットがそれぞれ配置される底板と、
前記底板から延長され前記第１光源が配置される第１側壁と、
前記第１側壁と対向し前記第２光源が配置される第２側壁と、
前記第１光ガイドユニットと第２光ガイドユニットとの間に突出して形成された遮断壁を含む収納容器と、を更に含むことを特徴とする請求項１９記載の表示装置。
【請求項２１】
第１光を出射する第１光源、該第１光と異なる色を有する第２光を出射する第２光源、及び該第１光と第２光を導いて出射する光ガイドユニットを含むバックライトアセンブリと、
前記第１光の色を変更させてメイン画像データを表示するメイン表示部、及び前記第２光の色を維持して付加画像データを表示するサブ表示部を含む表示パネルと、を有することを特徴とする表示装置。
【請求項２２】
前記表示パネルは、前記メイン表示部に配置され前記第１光の色を変更させるカラーフィルターを含むことを特徴とする請求項２１記載の表示装置。
【請求項２３】
前記表示パネルは、
画素電極及び該画素電極にデータ信号を印加するスイッチング素子を含む第１基板と、
前記画素電極と対向する共通電極を含む第２基板と、
前記画素電極及び共通電極の間に介在し、前記第１光と第２光の透過率を変更させる液晶層と、を更に含み、
前記カラーフィルターは、前記第２基板に配置されることを特徴とする請求項２２記載の表示装置。
【請求項２４】
前記第１光源は、白色光である前記第１光を出射する第１発光ダイオードを含み、
前記第２光源は、赤色光、緑色光、及び青色光のうち、いずれか一つの光である前記第２光を出射する第２発光ダイオードを含むことを特徴とする請求項２１記載の表示装置。
【請求項２５】
前記バックライトアセンブリは、
前記光ガイドユニットが配置される底板、及び前記第１光源及び第２光源が配置される側壁を含む収納容器と、
前記第１光源及び第２光源の電源電流を供給する駆動回路部と、を更に含むことを特徴とする請求項２１記載の表示装置。
【請求項２６】
前記光ガイドユニットは、
前記底板に配置される導光板と、
前記導光板上に配置された光学シートと、を含むことを特徴とする請求項２５記載の表示装置。
【請求項２７】
前記第１光源及び第２光源は、前記導光板の同一側面に配置されることを特徴とする請求項２６記載の表示装置。
【請求項２８】
前記導光板は、
前記第１光源が配置される第１側面と、
前記第２光源が配置される第２側面と、を含むことを特徴とする請求項２６記載の表示装置。
【請求項２９】
前記駆動回路部は、メインモード時、前記第１光源の駆動のための電源電流を供給し、
サブモード時、前記第２光源の駆動のための電源電流を供給することを特徴とする請求項２５記載の表示装置。
【請求項３０】
前記光ガイドユニットは、
前記第１光源が配置され、前記第１光を導いて前記メイン表示部に提供するメイン導光板と、
前記第２光源が配置され、前記第２光を導いて前記サブ表示部に提供するサブ導光板と、
前記メイン導光板及びサブ導光板上に配置される光学シートと、を含むことを特徴とする請求項２１記載の表示装置。
【請求項３１】
前記駆動回路部は、メインモード時、前記第１光源及び第２光源の駆動のための電源電流を供給し、
サブモード時、前記第２光源の駆動のための電源電流を供給することを特徴とする請求項２５記載の表示装置。
【請求項３２】
サブ駆動領域及びメイン駆動領域を含むベース基板と、
前記サブ駆動領域及びメイン駆動領域に区画された画素領域に配置されたスイッチング素子と、
前記サブ駆動領域に前記スイッチング素子と電気的に連結されるように配置され、外部から入射する光を反射させる反射板と、を有することを特徴とする表示基板。
【請求項３３】
前記スイッチング素子のドレイン電極の一部を露出させ、前記サブ駆動領域に対応する表面が凸凹形状を有するように前記ベース基板上に配置された保護絶縁膜と、
前記画素領域に対応して前記保護絶縁膜上に配置され、前記スイッチング素子のドレイン電極を通じてデータ信号の印加を受ける透明電極と、を更に含み、
前記反射板は前記透明電極上に配置され、前記サブ駆動領域内の単位画素領域を反射部と透過部とに区画することを特徴とする請求項３２記載の表示基板。
【請求項３４】
前記反射板は、前記サブ駆動領域及びメイン駆動領域に配置され、前記サブ駆動領域及びメイン駆動領域内の単位画素領域を反射部と透過部とに区画することを特徴とする請求項３２記載の表示基板。
【請求項３５】
サブ駆動領域及びメイン駆動領域を含むベース基板上にデータ信号を出力するドレイン電極を含むスイッチング素子を形成する段階と、
前記スイッチング素子を覆う絶縁膜上に前記ドレイン電極の一部を露出させるコンタクトホールが形成された保護絶縁膜を形成する段階と、
前記保護絶縁膜上に前記コンタクトホールを通じて前記ドレイン電極と電気的に連結される透明電極を形成する段階と、
前記サブ駆動領域内の単位画素領域を反射部と透過部とに区画する反射板を前記透明電極上に形成する段階と、を有することを特徴とする表示基板の製造方法。
【請求項３６】
サブ駆動領域及びメイン駆動領域を含む下部基板、該サブ駆動領域及びメイン駆動領域に形成された画素領域に形成されたスイッチング素子、及び該スイッチング素子と電気的に連結されるように該サブ駆動領域内の画素領域に配置され外部から入射する光を反射させる反射板を含む第１基板と、
前記第１基板と対向する第２基板と、
前記第１基板と前記第２基板との間に配置された液晶層と、を含むことを特徴とする表示装置。
【請求項３７】
前記第２基板は、
上部基板と、
前記メイン駆動領域内の画素領域と向かい合うように前記上部基板に形成されたメインカラーフィルターと、
前記サブ駆動領域内の画素領域と向かい合うように前記上部基板に形成されたサブカラーフィルターと、
前記メインカラーフィルター及びサブカラーフィルターを覆う共通電極と、を含むことを特徴とする請求項３６記載の表示装置。
【発明の詳細な説明】
【技術分野】
【０００１】
本発明は、バックライトアセンブリ及び表示基板とこれらを有する表示装置、並びに表示基板及びその製造方法に係り、より詳細には、消費電力が低減されたバックライトアセンブリ及び表示基板とこれらを有する表示装置、並びにサブ表示部が反射−透過型に構成される表示基板及びその製造方法に関する。
【背景技術】
【０００２】
一般に、液晶表示装置は、パーソナルコンピュータ、ノートパソコン、自動車航法システム、ＴＶセット等に装着され、電気的フォーマット形態を有する情報を画像に表示する。液晶表示装置は、重量が軽く、嵩が小さいという長所を有するので、最近広く使用されている。
【０００３】
最近は、モバイル液晶表示装置の光特性向上及び消費電力減少のために、表示パネルをメイン表示部及びサブ表示部に分割して駆動する方法が研究されている。例えば、サブ表示部は、時間、日付、バッテリー状態等のような付加画像データを常時に表示し、メイン表示部は、カメラ等の画像信号と文字情報等のようなメイン画像データを選択的に表示する。
【０００４】
従来の液晶表示装置において、サブ表示部及びメイン表示部は、同じ光源から光の提供を受ける。従って、メイン表示部が画像を表示する場合をメイン駆動モードと、メイン表示部がオフされた場合をサブ駆動モードと定義すると、サブ駆動モードの場合にもメイン表示部には光が提供され、表示パネルのメイン表示部がブラック駆動され、メイン表示部はオフされる。
【０００５】
このようにサブ駆動モードにおいて、メイン表示部に提供される光は不必要なものなので、消費電力の節減のために、サブ駆動モードではメインモードの場合より低電流で駆動される。しかし、サブ駆動モードでは、低電流駆動によってサブ表示部の輝度が充分ではなく、サブ表示部に表示される画像の品質が低下するという問題点がある。
【０００６】
又、サブ表示部の輝度を増加させるために、メインモード時、メイン表示部に提供される電力と同じレベルの電力でサブ表示部を駆動する場合、消費電力が増加するという問題点がある。
【０００７】
一方、メイン表示部及びサブ表示部に分割駆動される画面分割表示装置において、表示パネルは、カラー画像を表示するためにカラーフィルターを含む。カラーフィルターは、バックライトアセンブリ又は外部から光の入射を受けて所定の色を帯びる光を出射する。カラーフィルターは、赤色、緑色、及び青色を発現する顔料を含む。顔料は光の吸収率が大きいので、カラーフィルターを通過すると、光量が大幅減少する。従って、サブ駆動モードでサブ表示部には低電力駆動によって減少された光量が提供されるのみならず、カラーフィルターが含む顔料が光を相当量吸収することにより、サブ表示部の表示特性が顕著に低下するという問題点がある。
【発明の開示】
【発明が解決しようとする課題】
【０００８】
本発明は、このような従来の問題点を解決するためになされたものもので、本発明の目的は、メイン領域及びサブ領域に別の光源がそれぞれ配置され、消費電力が節減されたバックライトアセンブリを提供することにある。
【０００９】
又、本発明の他の目的は、バックライトアセンブリを含んで画質が向上された表示装置を提供することにある。
【００１０】
又、本発明の更に他の目的は、表示装置に使用される表示基板を提供することにある。
【００１１】
又、本発明の更に他の目的は、表示基板の製造方法を提供することにある。
【００１２】
又、本発明の更に他の目的は、表示基板を含み、低電流駆動時、サブ駆動領域の表示品質が向上された表示装置を提供することにある。
【課題を解決するための手段】
【００１３】
上記目的を達成するためになされた本発明の一特徴によるバックライトアセンブリは、第１バックライトユニット、第２バックライトユニット、及び光遮断部材を有する。前記第１バックライトユニットは、メインモードで表示パネルのメイン表示部に第１光を出射して、サブモードでオフされる。前記第２バックライトユニットは、メインモード及びサブモードで前記表示パネルのサブ表示部に第２光を出射する。前記光遮断部材は、前記第１バックライトユニットと前記第２バックライトユニットとの間に配置され、前記第１バックライトユニットから前記第２バックライトユニットに前記第１光が、又は前記第２バックライトユニットから前記第１バックライトユニットに前記第２光が流出することを防止する。
【００１４】
又、上記目的を達成するためになされた本発明の他の特徴によるバックライトアセンブリは、光源ユニット及び光ガイドユニットを有する。前記光源ユニットは、第１光源及び第２光源を含む。前記第１光源は第１光を出射し、第２光源は前記第１光と異なる色を有する第２光を出射する。前記光ガイドユニットは、前記光源ユニットから発生された第１及び第２光を導く。
【００１５】
上記目的を達成するためになされた本発明の一特徴による表示装置は、表示パネル、バックライトアセンブリ、及び駆動回路部を有する。前記表示パネルは、メイン表示部及びサブ表示部を含む。前記メイン表示部は、選択的にメイン画像データを表示し、前記サブ表示部は、常時に付加画像データを表示する。前記バックライトアセンブリは、第１バックライトユニット及び第２バックライトユニットを含む。前記第１バックライトユニットは前記メイン表示部に第１光を出射し、前記第２バックライトユニットは前記サブ表示部に第２光を出射する。前記駆動回路部は、メインモード時、前記第１バックライトユニットに駆動電源を提供し、メインモード及びサブモード時、前記第２バックライトユニットに駆動電源を提供するように前記第１及び第２バックライトユニットを制御する。
【００１６】
又、上記目的を達成するためになされた本発明の他の特徴による表示装置は、バックライトアセンブリ及び表示パネルを有する。前記バックライトアセンブリは、第１光源、第２光源、及び光ガイドユニットを含む。前記第１光源は第１光を出射し、前記第２光源は前記第１光と異なる色を有する第２光を出射する。前記光ガイドユニットは、前記第１及び第２光を導く。前記表示パネルは、メイン表示部及びサブ表示部を含む。前記メイン表示部は、前記第１光の色を変更させてメイン画像データを表示し、前記サブ表示部は、前記第２光の色を維持して付加画像データを表示する。
【００１７】
上記目的を達成するためになされた本発明の一特徴による表示基板は、ベース基板、スイッチング素子、及び反射板を有する。前記ベース基板は、サブ駆動領域及びメイン駆動領域を含み、前記スイッチング素子は、前記サブ駆動領域及びメイン駆動領域に区画された画素領域に配置される。前記反射板は、前記サブ駆動領域に前記スイッチング素子と電気的に連結されるように配置され、外部から入射する光を反射させる。
【００１８】
上記目的を達成するためになされた本発明の一特徴による表示基板の製造方法は、サブ駆動領域及びメイン駆動領域を含むベース基板上にデータ信号を出力するドレイン電極を含むスイッチング素子を形成する段階、前記スイッチング素子を覆う絶縁膜上に前記ドレイン電極の一部を露出させるコンタクトホールが形成された保護絶縁膜を形成する段階、前記保護絶縁膜上に前記コンタクトホールを通じて前記ドレイン電極と電気的に連結される透明電極を形成する段階、及び前記サブ駆動領域内の単位画素領域を反射部と透過部とに区画する反射板を前記透明電極上に形成する段階を有する。
【００１９】
又、上記目的を達成するためになされた本発明の更に他の特徴による表示装置は、第１基板、第２基板、及び液晶層を含む。前記第１基板は、下部基板、スイッチング素子、及び反射板を含む。前記下部基板は、メイン駆動領域及びサブ駆動領域を含む。前記スイッチング素子は、前記サブ駆動領域及びメイン駆動領域に形成された画素領域に形成される。前記反射板は、前記スイッチング素子と電気的に連結されるように前記サブ駆動領域内の画素領域に配置され、外部から入射する光を反射させる。前記第２基板は、前記第１基板と向かい合う。前記液晶層は、前記第１基板と第２基板との間に配置される。
【発明の効果】
【００２０】
このような本発明のバックライトアセンブリ及び表示装置によれば、メイン表示部及びサブ表示部を含む表示パネルに光を提供する光源がメイン表示部及びサブ表示部にそれぞれ配置され個別的に駆動される。その結果、サブモードで表示パネルの全体面積に光を提供し、サブ表示部に付加画像データを表示する方式に対して、バックライトアセンブリ及びこれを有する表示装置の消費電力が節減される。
【００２１】
又、サブ表示部の平面積は、通常、メイン表示部の平面積より小さく、サブ表示部の近所に配置された光源から出射する光は、大部分サブ表示部にのみガイドされる。従って、消費電力の節減のために、サブモードで低いレベルの電流で光源を駆動しても、サブ表示部の輝度が向上する。
【００２２】
又、カラーフィルターが配置されたメイン表示部には白色光が提供され、カラーフィルターが省略されたサブ表示部には、赤色光、緑色光、及び青色光のうち、いずれか一つの色を有する光が提供される。従って、メイン駆動モードより少ない電力を消費するサブ駆動モードにおいて、サブ表示部でカラーフィルターによる赤色光、緑色光、及び青色光の損失が防止される。その結果、サブ表示部から出射する光の輝度が上昇し、サブ表示部に表示された付加画像データの画質が向上する。
【００２３】
又、表示パネルに採用される表示基板は、メイン駆動領域とサブ駆動領域を含み、サブ駆動領域には反射板が形成され、単位画素領域を反射部と透過部とに区画する。これによって、サブ駆動モードでサブ表示部にディスプレイに適合する輝度を有する光が提供され、表示パネルの画質が向上する。
【発明を実施するための最良の形態】
【００２４】
以下、本発明を実施するための最良の形態の具体例を、図面を参照しながら詳細に説明する。
【００２５】
＜バックライトアセンブリ＞
図１は、本発明の第１実施例によるバックライトアセンブリの斜視図であり、図２は、図１に示すバックライトアセンブリの分解斜視図である。
【００２６】
図１及び図２を参照すると、バックライトアセンブリ１００は、第１バックライトユニット１３０、第２バックライトユニット１５０、及び遮断壁１１２を形成する光遮断部材を含む。
【００２７】
バックライトアセンブリ１００は、選択的にメイン画像データを表示するメイン表示部と常時に付加画像データを表示するサブ表示部を含む表示パネルに光を提供する。ここで、第１バックライトユニット及び第２バックライトユニットが、いずれも光を出射するモードをメイン駆動モードと定義し、第１バックライトユニットがオフされ第２バックライトユニットが光を出射するモードをサブ駆動モードと定義する。
【００２８】
第１バックライトユニット１３０は、メイン駆動モード（Ｍａｉｎ  Ｍｏｄｅ）でメイン表示部に第１光を出射し、サブ駆動モードでオフされる。
【００２９】
第１バックライトユニット１３０は、第１光源１３１及び第１光ガイドユニット１３３を含む。
【００３０】
第１光源１３１は、メイン駆動モードで後述する第１光ガイドユニット１３３に第１光を出射する。図２において、第１光源１３１は発光ダイオードである。他の実施例として、第１光源１３１はランプでも良い。
【００３１】
第１光ガイドユニット１３３は、第１光をガイドして輝度均一性が向上された光をメイン表示部に出射する。第１光ガイドユニット１３３は、耐熱性、耐化学性、機械的強度、及び光透過性に優れた樹脂材質、例えば、ポリメチルメタクリレート（ＰＭＭＡ）からなる。図２において、第１光ガイドユニット１３３は、厚みが殆ど均一なプレート形状を有する。他の実施例として、第１光ガイドユニット１３３は、一方向に沿って厚みが漸次小さくなるウェッジ形状を有することができる。
【００３２】
第１バックライトユニット１３０は、第１光学シート１３８を更に含む。
【００３３】
第１光学シート１３８は、第１光ガイドユニット１３３から出射した第１光の光学特性を向上させる。第１光学シート１３８は、第１反射シート１３５、第１拡散シート１３６、及び第１集光シート１３７を含む。
【００３４】
第１反射シート１３５は、第１光ガイドユニット１３３の下に配置される。第１反射シート１３５は、第１光ガイドユニット１３３から漏洩される光を反射して、第１光ガイドユニット１３３に入射させる。
【００３５】
第１拡散シート１３６は第１光ガイドユニット１３３上に配置され、第１光ガイドユニット１３３が出射する光を拡散させて輝度均一性を向上させる。
【００３６】
第１集光シート１３７は、第１拡散シート１３６上に配置され第１拡散シート１３６から出射する拡散光を集光する。図２において、第１光ガイドユニット１３３は、２つの第１集光シート１３７を含み、２つの第１集光シート１３７は、集光方向が互いに垂直をなすように配置される。この際、第１光学シート１３８や第１集光シート１３７の数は変更することができる。
【００３７】
第２バックライトユニット１５０は、メインモード及びサブモードで第２光を出射する。第２バックライトユニット１５０は、第２光源１５１及び第２光ガイドユニット１５３を含む。
【００３８】
第２光源１５１は、メインモードで後述する第２光ガイドユニット１５３に第２光を出射する。図２において、第２光源１５１は、第２発光ダイオードである。他の実施例として、第２光源１５１はランプでも良い。
【００３９】
第２光ガイドユニット１５３は、第２光をガイドして輝度均一性が向上された光をサブ表示部に出射する。
【００４０】
第２バックライトユニット１５０は、第２光学シート１５８を更に含む。第２光学シート１５８は、第２光ガイドユニット１５３から出射した光の光学特性、例えば、輝度均一性及び正面輝度を向上させる。第２光学シート１５８は、第２反射シート１５５、第２拡散シート１５６、及び第２集光シート１５７を含む。第２反射シート１５５、第２拡散シート１５６、及び第２集光シート１５７は、第１反射シート１３５、第１拡散シート１３６、及び第１集光シート１３７と実質的に同じである。
【００４１】
バックライトアセンブリ１００は、第１バックライトユニット１３０及び第２バックライトユニット１５０を収納する収納容器１１０を更に含む。収納容器１１０は、底板１１１及び第１乃至第４側壁１１３、１１５、１１７、１１９を含む。
【００４２】
第１乃至第４側壁１１３、１１５、１１７、１１９は、底板１１１の周辺部に配置される。図２と異なり、バックライトアセンブリ１００の重量及び嵩を減少させるために、底板１１１には開口を形成することができる。第１側壁１１３と第２側壁１１５とは互いに向かい合うように配置される。第３側壁１１７と第４側壁１１９とは互いに向かい合うように配置され、第１側壁１１３と第２側壁１１５とをそれぞれ連結する。
【００４３】
第１側壁１１３には第１側壁１１３の内側中央部から底板１１１を貫通する第１溝（図示せず）が形成され、第２側壁１１５には第２側壁１１５の内側中央部から底部を貫通する第２溝１１６が形成される。第１側壁１１３には、第１側壁１１３の上部から第１側壁１１３の外側面に沿って第１及び第２ガイド溝が形成される。
【００４４】
光遮断部材１１２は、第１バックライトユニット１３０と第２バックライトユニット１５０との間に配置され、第１バックライトユニット１３０から第２バックライトユニット１５０に、又は、第２バックライトユニット１５０から第１バックライトユニット１３０に光が流出することを遮断する。このために、光遮断部材１１２は、収納容器１１０から突出する。例えば、光遮断部材１１２は、底板１１１から突出した遮断壁１１２である。他の実施例として、光遮断部材１１２は、第１光ガイドユニット１３３と第２光ガイドユニット１５３が接する領域に配置された光遮断シートでも良い。
【００４５】
遮断壁１１２は、収納容器１１０が提供する収納空間をメイン収納領域とサブ収納領域とに区画する。底板１１１、遮断壁１１２、第１側壁１１３、第３側壁１１７、及び第４側壁１１９はメイン収納領域を定義し、底板１１１、遮断壁１１２、第２側壁１１５、第３側壁１１７、及び第４側壁１１９はサブ収納領域を定義する。メイン収納領域の底板１１１は第１平面積を有し、サブ収納領域の底板１１１は、第１平面積より小さい第２平面積を有する。
【００４６】
図３は、図２に示すバックライトアセンブリをＩ−Ｉ’に沿って切断した断面図である。
【００４７】
図２及び図３に示すように、メイン収納領域には第１反射シート１３５、第１光ガイドユニット１３３、第１拡散シート１３６、及び第１集光シート１３７がその名称順に積層され、サブ収納容器には第２反射シート１５５、第２光ガイドユニット１５３、第２拡散シート１５６、及び第２集光シート１５７がその名称順に積層される。
【００４８】
バックライトアセンブリ１００は、電源供給部１０５及び電源印刷回路フィルム１７０を更に含む。
【００４９】
電源印刷回路フィルム１７０は、電源供給部１０５と第１及び第２発光ダイオード１３１、１５１を電気的に連結させる。電源印刷回路フィルム１７０は、収納容器１１０の第１側壁１１３から第２側壁１１５に向かって延長される。第１側壁１１３に隣接した電源印刷回路フィルム１７０の第１端部には第１光源１３１が実装され、第１端部に対向する第２端部には第２光源１５１が実装される。これによって、第１光源１３１は、第１側壁１１３の内側面に形成された第１溝に挿入され、第２光源１５１は、第２側壁１１５の内側面に形成された第２溝１１６に挿入される。電源印刷回路フィルム１７０は、第１端部と第２端部との間の所定の地点で延長された電源供給線１７１を含む。電源供給線１７１は、電源供給部１０５と電気的に連結される。
【００５０】
図４及び図５は、図１に示すバックライトアセンブリの駆動モードを説明するためのタイミング図である。
【００５１】
図２乃至図５に示すように、電源供給部１０５は、メインモード（ｍａｉｎ  ｍｏｄｅ）で第１発光ダイオード（ＤＭ１）１３１、及び第２発光ダイオード（ＤＳ１）１５１の駆動のための電源電流を供給し、サブモード（ｓｕｂ  ｍｏｄｅ）で第２発光ダイオード（ＤＳ１）１５１の駆動のための電源電流を供給する。即ち、サブモードで表示パネルのサブ表示部近所に配置された第２発光ダイオード１５１のみ第２光を出射し、表示パネルのメイン表示部近所に配置された第１発光ダイオード１３１はオフされる。これによって、サブモードで消費電力が節減され、サブ表示部に提供される光量が増加する。
【００５２】
図６は、本発明の第２実施例によるバックライトアセンブリの斜視図である。図６において、バックライトアセンブリはフレーム形状でも良い。デカルト（Ｃａｒｔｅｓｉａｎ）座標系において、表示装置の第１側面はＹ軸方向に延長され、表示装置の第２側面はＹ軸に直交するＸ軸方向に延長される。
【００５３】
図６に示すバックライトアセンブリ２４０は、光源ユニット２１１及び光ガイドユニット２３０を含む。バックライトアセンブリ２４０は、例えば、選択的にメイン画像データを表示するメイン表示部と、常時に付加画像データを表示するサブ表示部とを含む表示パネルに対する光供給装置に採用される。このために、表示パネルのメイン画面を具現するメインモードと、メインモードより少ない電力を消費して、表示装置の待機画面を具現するサブモードに分割駆動される。
【００５４】
光源ユニット２１１は、駆動モードによって互いに異なる色を有する光を出射する。具体的に、光源ユニット２１１は、第１光源（図示せず）及び第２光源（図示せず）を含む。第１光源は、メインモードでメイン画面を具現するための第１光を出射し、第２光源は、サブモードで待機画面を具現するために第１光と異なる色を有する第２光を出射する。好ましくは、第１光は白色光で、第２光は赤色光、緑色光、及び青色光のうち、いずれか一つである。
【００５５】
光ガイドユニット２３０は、光源ユニット２１１から提供された第１光又は第２光をガイドして出射する。図６において、光ガイドユニット２３０は入射面２３１及び出射面２３５を含む。
【００５６】
入射面２３１は光源ユニット２１１と向かい合うように配置され、入射面２３１を通じて光ガイドユニット２３０の内部に導入された第１光又は第２光は、光ガイドユニット２３０の内部で反復して反射及び拡散され、所定の条件を満足すると、出射面２３５を通じて出射する。
【００５７】
光ガイドユニット２３０は第１光及び第２光をガイドして、入射面２３１に対向する光ガイドユニット２３０の末端まで第１光及び第２光を拡散させる。従って、第１光及び第２光は、出射面２３５全体から出射する。
【００５８】
図７は、本発明の第３実施例によるバックライトアセンブリの斜視図である。
【００５９】
図７に示すバックライトアセンブリ２８０は、光源ユニット２５０及び光ガイドユニット２７０を含む。
【００６０】
光源ユニット２５０は、第１光源２５１、２５３、及び第２光源２５５を含む。
【００６１】
第１光源２５１、２５３は、白色を有する第１光を出射し、第２光源２５５は、赤色、緑色、及び青色のうち、いずれか一つの色を有する第２光を出射する。他の実施例として、第１光源２５１、２５３又は第２光源２５５は、本実施例と異なる色を有する光を出射することができる。第１光源２５１、２５３及び第２光源２５５としては、寿命が長く、電気エネルギーが光エネルギーに直接変換されるので電力の消費が少ない発光ダイオード（ＬＥＤ）が使用される。
【００６２】
図７において、第１光源２５１、２５３は、白色光を出射する第１発光ダイオード２５１、２５３で、第２光源２５５は、赤色光、緑色光、及び青色光のうち、いずれか一つの光を出射する第２発光ダイオード２５５である。第１発光ダイオード２５１、２５３及び第２発光ダイオード２５５の個数及び光ガイドユニット２７０に対して配置される位置は、バックライトアセンブリ２８０のサイズと要求される光量によって変更することができる。他の実施例として、第１光源２５１、２５３、及び第２光源２５５はランプでも良い。
【００６３】
バックライトアセンブリ２８０は、第１発光ダイオード２５１、２５３及び第２発光ダイオード２５５に、駆動のための電源電流を供給する電源供給部２２０を更に含む。
【００６４】
電源供給部２２０は、第１発光ダイオード２５１、２５３及び第２発光ダイオード２５５にそれぞれ電気的に連結され、電源供給部２２０は、メインモード時、第１発光ダイオード２５１、２５３の駆動のための電源電流を供給し、サブモード時、第２光源２５５の駆動のための電源電流を供給する。
【００６５】
光ガイドユニット２７０は、メインモードで白色を帯びる第１光をガイドし出射して、サブモードで赤色、緑色、及び青色のうち、いずれか一つの色を帯びる第２光をガイドして出射する。
【００６６】
図７において、光ガイドユニット２７０は入射面２７１及び出射面２７５を含み、プレート形状を有する。他の実施例として、光ガイドユニット２７０は、入射面２７１から離れるほど、厚みが減少するウェッジ形状を有することができる。入射面２７１は、光ガイドユニット２７０の一側面を形成し、出射面２７５は所定の角度を有して入射面２７１に連結される。
【００６７】
第１発光ダイオード２５１、２５３は入射面２７１に２つが配置され、第２発光ダイオード２５５は、１つが第１発光ダイオード２５１、２５３の間に配置される。即ち、第１発光ダイオード２５１、２５３及び第２発光ダイオード２５５は、光ガイドユニット２７０の入射面２７１に平行に配置される。入射面２７１には、駆動モードによって第１光又は第２光が提供され、ガイドされた第１光又は第２光は、出射面２７５を通じて出射する。
【００６８】
光ガイドユニット２７０は、光透過性、耐熱性、耐化学性、及び機械的強度等に優れた光散乱導光体で形成されることが好ましい。光散乱導光体の例としては、ポリメチルメタクリレート、ポリアミド、ポリイミド、ポリプロピレン、及びポリウレタン等が挙げられる。
【００６９】
図８は、本発明の第４実施例によるバックライトアセンブリの斜視図である。
【００７０】
図８に示すバックライトアセンブリ３００は、光源ユニット３１０、電源供給部３２０、及び光ガイドユニット３５０を含む。バックライトアセンブリ３００は、光ガイドユニット３５０に対する光源ユニット３１０が配置される位置を除いては、図７に示したバックライトアセンブリ２８０と実質的に同じなので、重複する説明は省略する。
【００７１】
光源ユニット３１０は、光源として第１発光ダイオード３１１、３１３、及び第２発光ダイオード３１５を含む。第１発光ダイオード３１１、３１３は白色の第１光を出射し、第２発光ダイオード３１５は赤色光、緑色光、及び青色光のうち、いずれか一つである第２光を出射する。
【００７２】
光ガイドユニット３５０は、第１側面３５１、第２側面３５３、及び出射面３５５を含み、プレート形状を有する。第１側面３５１は、光ガイドユニット３５０の長辺方向である第１方向（ｘ）に配置され、第２側面３５３は、第１方向（ｘ）と直交する光ガイドユニット３５０の第２方向（ｙ）に配置される。
【００７３】
出射面３５５は、第１側面３５１及び第２側面３５３と連結される。出射面３５５は、メイン領域ＭＳ及びメイン領域ＭＳと第１方向（ｘ）に直列連結されるサブ領域ＳＳに区分される。第１側面３５１には、２つの第１発光ダイオード３１１、３１３が配置され、第２側面３５３には、１つの第２発光ダイオード３１５が配置される。
【００７４】
他の実施例として、第２発光ダイオード３１５は、第１側面３５１と対向する光ガイドユニット３５０の第３側面に配置することができる。
【００７５】
図９は、図８に示す第１光源及び第２光源にメインモードから印加される駆動信号のタイミング図であり、図１０は、図８に示す光ガイドユニットのメインモードでＩＩ−ＩＩ’に沿って切断した出射面の輝度を示すグラフである。
【００７６】
図８、図９、及び図１０に示すように、メインモード時、電源供給部３２０は、２つの第１発光ダイオード（ＤＭ１、ＤＭ２）３１１、３１３に駆動のための電源電流を供給し、第２発光ダイオード（ＤＳ１）３１５はオフされる。これによって、第１発光ダイオード３１１、３１３は、白色を帯びる第１光を第１側面３５１に出射する。
【００７７】
直進性が強い第１光は所定の入射角を有して第１側面３５１に入射する。第１光は、光ガイドユニット３５０の内部で反復して反射及び拡散され、第１方向（ｘ）に向かう傾向性を有し、光ガイドユニット３５０の末端部に向かって伝播する。第１光の反射及び拡散が反復されることにより、出射面３５５に対する第１光の入射角が減少し、出射面３５５から第１光の光出射程度が促進される。
【００７８】
図１０に示すように、第１光は、出射面３５５のメイン領域ＭＳ及びサブ領域ＳＳを通じて出射し、メイン領域ＭＳから出射する光量は、サブ領域ＳＳから出射する光量より少し大きいが、全体的に均一な輝度を有する光が出射する。
【００７９】
図１１は、図８に示す第１光源及び第２光源にサブモードから印加される駆動信号のタイミング図であり、図１２は、図８に示す光ガイドユニットのサブモードで出射面の輝度を示すグラフである。
【００８０】
図８、図１１、及び図１２に示すように、サブモード時、電源供給部３２０は、第２発光ダイオード（ＤＳ１）３１５に、駆動のための電源電流を供給し、第１発光ダイオード（ＤＭ１、ＤＭ２）３１１、３１３はオフされる。これによって、第２発光ダイオード（ＤＳ１）３１５は、赤色、緑色、及び青色のうち、いずれか一つの色を帯びる第２光を第２側面３５３に出射する。
【００８１】
第２光は第２方向（ｙ）に向かう傾向性を有し、光ガイドユニット３５０の内部で反復して反射及び拡散される。第２光の反射及び拡散が反復されることにより、出射面３５５に対する第２光の入射角が減少し、出射面３５５から第２光の光出射程度が促進される。図１２に示すように、第２光は、大部分出射面３５５のサブ領域ＳＳを通じて出射する。
【００８２】
図１３は、本発明の第５実施例によるバックライトアセンブリの分解斜視図である。
【００８３】
図１３に示すバックライトアセンブリ４００は、光源ユニット４１０及び光ガイドユニット４３０を含む。光源ユニット４１０は、第１光源４１１の個数、電源印刷回路フィルム４１９を更に含む点及び駆動方法を除いては、図８に示した光源ユニット３１０と実質的に同じなので、重複する説明は省略する。
【００８４】
光源ユニット４１０は、第１光源４１１及び第２光源４１７を含む。第１光源４１１は第１光を出射し、第２光源４１７は第１光と異なる色を帯びる第２光を出射する。図１３において、第１光源４１１は第１発光ダイオードで、第２光源４１７は第２発光ダイオードである。
【００８５】
光源ユニット４１０は、電源印刷回路フィルム４１９を更に含む。電源印刷回路フィルム４１９は、ほぼＴ字形状を有する。電源印刷回路フィルム４１９は、第１発光ダイオード４１１及び第２発光ダイオード４１７と電気的に連結される導電配線を含む。電源印刷回路フィルム４１９は、後述する電源供給部４２０に電気的に連結される。３つの第１発光ダイオード４１１がＴ字形状の電源印刷回路フィルム４１９の頭部に一列に配置され、１つの第２発光ダイオード４１７が電源印刷回路フィルム４１９の尾部に配置される。
【００８６】
バックライトアセンブリ４００は電源供給部４２０を更に含む。電源供給部４２０は、電源印刷回路フィルム４１９と電気的に連結され、メインモード時、図８に示した電源供給部３２０と異なり、第１光源４１１及び第２光源４１７の駆動のための電源電流を供給し、サブモード時、第２光源４１７の駆動のための電源電流を供給する。
【００８７】
図１４及び図１５は、図１３に示す第１発光ダイオード及び第２発光ダイオードに印加される駆動信号のタイミング図である。
【００８８】
第１発光ダイオード（ＤＭ１、ＤＭ２）４１１は、図１４に示すように、メインモードで白色光を出射し、サブモードでオフされる。一方、第２発光ダイオード（ＤＳ１）４１７は、図１５に示すように、メインモード及びサブモードで赤色光、緑色光、及び青色光のうち、いずれか一つの光を出射する。即ち、図６乃至図１２で説明したバックライトアセンブリ２４０、２８０、３００と異なり、本実施例によるバックライトアセンブリ４００では、第２発光ダイオード（ＤＳ１）４１７は、サブモードのみならず、メインモードでも第２光を出射する。
【００８９】
図１６は、図１３に示すバックライトアセンブリをＩＩＩ−ＩＩＩ’に沿って切断した断面図である。
【００９０】
図１３及び図１６に示すように、バックライトアセンブリ４００は収納容器４７０を更に含む。収納容器４７０は、底板４７１及び第１乃至第４側壁４７３、４７５、４７７、４７９を含む。
【００９１】
図１３と異なり、バックライトアセンブリ４００の重量及び嵩を減少させるために、底板４１１には開口を形成することができる。第１乃至第４側壁４７３、４７５、４７７、４７９は、底板４７１の周辺部に配置される。第１側壁４７３と第２側壁４７５とは互いに向かい合うように配置される。第３側壁４７７と第４側壁４７９とは互いに向かい合うように配置され、第１側壁４７３と第２側壁４７５とをそれぞれ連結する。
【００９２】
第１側壁４７３には、第１側壁４７３の内側から底板４７１を貫通する３つの第１溝（図示せず）が形成され、第２側壁４７５には第２側壁４７５の内側中央部から底板を貫通する第２溝４７６が形成される。
【００９３】
電源印刷回路フィルム４１９に実装された第１発光ダイオード４１１は、図１６に示すように、底板４７１の背面から第１溝に挿入され、電源印刷回路フィルム４１９に実装された第２発光ダイオード４１７は、底板４７１の背面から第２溝４７６に挿入される。第１側壁４７３には、第１側壁４７３の上部から第１側壁４７３の外側面に沿って第１ガイド溝及び第２ガイド溝が形成される。電源印刷回路フィルム４１９のうち、Ｔ字形状の頭部の一端部には、第２ガイド溝を囲みながら折曲され、後述する電源供給部４２０に電気的に連結される。
【００９４】
収納容器４７０は、第１側壁４７３及び第２側壁４７５の間に配置され、第３側壁４７７及び第４側壁４７９にそれぞれ連結される遮断壁４７２を更に含む。
【００９５】
底板４７１、遮断壁４７２、第１側壁４７３、第３側壁４７７、及び第４側壁４７９はメイン収納領域を定義し、底板４７１、遮断壁４７２、第２側壁４７５、第３側壁４７７、及び第４側壁４７９はサブ収納領域を定義する。メイン収納領域は第１平面積を有し、サブ収納領域は第１平面積より小さい第２平面積を有する。
【００９６】
光ガイドユニット４３０は、メイン導光板４３１、サブ導光板４３５、及びメイン光学シート４４１、サブ光学シート４５１を含む。
【００９７】
メイン導光板４３１及びサブ導光板４３５の形状及び材質は、図６乃至図８で説明した光ガイドユニット２３０、２７０、３５０の形状及び材質と実質的に同じである。
【００９８】
メイン導光板４３１は収納容器４７０のメイン収納領域に収納され、サブ導光板４３５は収納容器４７０のサブ収納領域に収納される。これによって、メイン導光板４３１とサブ導光板４３５は互いに直列配置される。
【００９９】
メイン導光板４３１は、第１側壁４７３と向かい合う一側面を通じて入射した第１光をガイドし、バックライトアセンブリ４００の上部に出射する。一方、サブ導光板４３５は、第２側壁４７５と向かい合う一側面を通じて入射した第２光をガイドし、バックライトアセンブリ４００の上部に出射する。
【０１００】
その際、収納容器４７０の遮断壁４７２は、メイン導光板４３１とサブ導光板４３５との間に配置され、メイン導光板４３１とサブ導光板４３５との相互間に光が流出することを防止する。光利用効率を向上させるために、遮断壁４７２の表面には、光反射率に優れた材質、例えば、アルミニウムからなる薄膜で塗布されることが好ましい。
【０１０１】
光学シートは、メイン光学シート４４１及びサブ光学シート４５１を含む。
【０１０２】
メイン光学シート４４１は、メイン導光板４３１から出射した第１光の光学特性を向上させる。メイン光学シート４４１は、メイン反射シート４４３、メイン拡散シート４４５、及びメイン集光シート４４７を含む。
【０１０３】
メイン反射シート４４３は、底板４７１とメイン導光板４３１との間に配置される。メイン反射シート４４３は、メイン導光板４３１から底板４１１に漏洩される光を反射して、メイン導光板４３１に入射させる。メイン拡散シート４４５はメイン導光板４３１上に配置され、メイン導光板４３１が出射する光を拡散させて輝度均一性を向上させる。
【０１０４】
メイン集光シート４４７は、メイン拡散シート４４５上に配置され、メイン拡散シート４４５から出射する拡散光を集光する。図１３において、メイン光学シート４４１は、２枚のメイン集光シート４４７を含み、２つのメイン集光シート４４７は集光方向が互いに垂直をなすように配置される。
【０１０５】
サブ光学シート４５１は、サブ導光板４３５から出射した第２光の光学特性を向上させる。サブ光学シート４５１は、サブ反射シート４５３、サブ拡散シート４５５、及びサブ集光シート４５７を含む。サブ光学シート４５１は、メイン光学シート４４１とサイズを除いては、実質的に同じなので、重複する説明は省略する。他の実施例として、サブ光学シート４５１は、メイン光学シート４４１と他の種類の光学シート、例えば、ＤＢＥＦ（Ｄｕａｌ  Ｂｒｉｇｈｔｎｅｓｓ  Ｅｎｈａｎｃｅｍｅｎｔ  Ｆｉｌｍ）を用いることができる。
【０１０６】
図１７は、本発明の第６実施例によるバックライトアセンブリの断面図である。
【０１０７】
図１７に示すように、バックライトアセンブリ５００は、光源ユニット、電源供給部、光ガイドユニット、及び収納容器を含む。バックライトアセンブリ５００は、光ガイドユニット及び収納容器を除いては、図１３乃至図１６に示したバックライトアセンブリ４００と実質的に同じなので、重複する説明は省略する。
【０１０８】
光ガイドユニットは、図１３及び図１６に示したメイン光学シート４４１及びサブ光学シート４５１に分割されたものと異なるが、メイン導光板５３１及びサブ導光板５３５を全部カバーする光学シートを含む点と、反射膜５３７を更に含む点を除いては、図１３及び図１６に図示された光ガイドユニット４３０と実質的に同じである。
【０１０９】
光学シートは、メイン導光板５３１及びサブ導光板５３５から出射した第１光及び第２光の光学特性を向上させる。光学シートは、反射シート５４３、拡散シート５４５、及び集光シート５４７を含む。
【０１１０】
反射シート５４３は、底板５７１とメイン導光板５３１及びサブ導光板５３５の間に配置される。反射シート５４３は、メイン導光板５３１及びサブ導光板５３５から底板５７１に漏洩される光を反射し、メイン導光板５３１及びサブ導光板５３５に入射させる。
【０１１１】
反射膜５３７は、メイン導光板５３１とサブ導光板５３５との間に配置される。反射膜５３７は、光反射率に優れた材質、例えば、アルミニウム薄膜からなることが好ましい。反射膜５３７は、メイン導光板５３１又はサブ導光板５３５の一側面に塗布するか、接着することができる。
【０１１２】
拡散シート５４５は、メイン導光板５３１及びサブ導光板５３５上に配置され、メイン導光板５３１及びサブ導光板５３５が出射する光を拡散させて輝度均一性を向上させる。
【０１１３】
集光シート５４７は、拡散シート５４５上に配置され拡散シート５４５から出射する拡散光を集光する。図１７において、光学シートは、２枚の集光シート５４７を含み、２つの集光シート５４７は集光方向が互いに垂直をなすように配置される。
【０１１４】
収納容器は、図１３及び図１６に示した遮断壁４７２が削除された点を除いては、図１３及び図１６に示した収納容器４７０と実質的に同じなので、重複する説明は省略する。
【０１１５】
＜表示装置＞
図１８は、本発明の第７実施例による表示装置の斜視図であり、図１９は、図１８に示す表示装置の分解斜視図である。
【０１１６】
図１８及び図１９に示す表示装置６００は、表示パネル６９０、バックライトアセンブリ、及び駆動回路部６２０を含む。バックライトアセンブリは、第１バックライトユニット６３０及び第２バックライトユニット６５０を含み、第１バックライトユニット６３０及び第２バックライトユニット６５０は、図１乃至図３に示した第１バックライトユニット１３０及び第２バックライトユニット１５０と実質的に同じである。
【０１１７】
表示装置６００は、電源印刷回路フィルム６７０及び収納容器６１０を更に含む。電源印刷回路フィルム６７０及び収納容器６１０は、図１乃至図３に示した電源印刷回路フィルム１７０及び収納容器１１０と実質的に同じである。
【０１１８】
図２０は、図１９に示す表示装置をＩＶ−ＩＶ’に沿って切断した断面図である。
【０１１９】
図１９及び図２０に示すように、表示パネル６９０は、第１バックライトユニット６３０及び第２バックライトユニット６５０から提供された光に基づいて画像を表示する。表示パネル６９０は、メイン表示部（Ｍａｉｎ  Ｄｉｓｐｌａｙ  Ｐｏｒｔｉｏｎ；ＭＤＰ）及びサブ表示部（Ｓｕｂ  Ｄｉｓｐｌａｙ  Ｐｏｒｔｉｏｎ；ＳＤＰ）に分割駆動される。メイン表示部ＭＤＰ及びサブ表示部ＳＤＰがいずれも画像を表示するモードをメインモードと定義し、メイン表示部ＭＤＰはオフされ、サブ表示部ＳＤＰが画像を表示するモードをサブモードと定義する。
【０１２０】
メイン表示部ＭＤＰは、メインモードでは第１バックライトユニット６３０から提供された光に基づいて画像信号と文字情報のようなメイン画像データを表示する。一方、サブモードで第１バックライトユニット６３０がオフされるので、メイン表示部ＭＤＰはブラック駆動されることが好ましい。
【０１２１】
サブ表示部ＳＤＰは、メインモード及びサブモードで第２バックライトユニット６５０から提供された光に基づいて、時間、日付、バッテリー状態等のような付加画像データを表示する。
【０１２２】
メイン表示部ＭＤＰとサブ表示部ＳＤＰとを分割駆動するために、表示パネル６９０は、第１基板６９１、第２基板６９５、液晶層６９６を含む。
【０１２３】
第１基板６９１は、収納容器６１０の第１乃至第４側壁６１３、６１５、６１７、６１９に形成された段差部に配置される。第１基板６９１は、下部基板及び薄膜トランジスタを含む。下部基板には、透明な導電性材質からなる多数の画素電極がマトリックス形態に配置される。薄膜トランジスタは、画素電極のそれぞれに対応して下部基板に配置され、画素電極に印加されるパネル駆動信号をスイッチングする。
【０１２４】
分割駆動のために、第１基板６９１は、メイン画素部とサブ画素部を含む。メインモードで、メイン画素部に配置された画素電極には、メイン画像データ信号が印加される。メインモード及びサブモードで、サブ画素部に配置された画素電極には、付加画像データ信号が印加される。
【０１２５】
第２基板６９５は、第１基板６９１に一定間隔だけ離隔して対向配置される。第２基板６９５は、上部基板及びＲＧＢ色画素を含む。ＲＧＢ色画素は、画素電極に対応して上部基板にマトリックス形態に配置され、入射光を所定の色に発現させる。第２基板６９５の第１基板６９１に向かい合う面全体には、第１基板６９１に形成された画素電極に対応して透明な導電性材質からなる共通電極が配置される。
【０１２６】
分割駆動のために、第２基板６９５は、第１基板６９１と同様にメインカラーフィルター部とサブカラーフィルター部とに区分される。メインカラーフィルター部とサブカラーフィルター部に配置されるＲＧＢ色画素のサイズを異なるようにして、メイン表示部ＭＤＰとサブ表示部ＳＤＰの解像度を異なるようにすることができる。
【０１２７】
第２基板６９５は、ブラックマトリックスパターンを含む。ブラックマトリックスパターンはＲＧＢ色画素間に配置され、ＲＧＢ色画素が配置される領域を定義し、メイン表示部ＭＤＰとサブ表示部ＳＤＰを区分させる。
【０１２８】
表示パネル６９０は、パネル印刷回路フィルム６９３を更に含む。パネル印刷回路フィルム６９３は、表示パネル６９０を駆動させる駆動信号を提供する。パネル印刷回路フィルム６９３は、第１基板６９１の一方の側のエッジに電気的に連結される。
【０１２９】
パネル印刷回路フィルム６９３は、第１側壁６１３に形成された第１ガイド溝に沿って第１側壁６１３を囲みながら折曲される。その際、パネル印刷回路フィルム６９３の第１端子は、後述する駆動回路部６２０と電気的に連結され、パネル印刷回路フィルム６９３の第２端子は、第１側壁６１３に形成された第２ガイド溝に沿って電源印刷回路フィルム６７０と電気的に連結される。
【０１３０】
駆動回路部６２０は、メインモードで第１バックライトユニット６３０の光源である第１発光ダイオード６３１及び第２バックライトユニット６５０の光源である第２発光ダイオード６５１の駆動のための電源電流を提供し、サブモードで第２発光ダイオード６５１の駆動のための電源電流を提供する。即ち、サブモードで表示パネル６９０のサブ表示部ＳＤＰの近所に配置された第２発光ダイオード６５１のみ第２光を出射し、表示パネル６９０のメイン表示部ＭＤＰの近所に配置された第１発光ダイオード６３１はオフされる。
【０１３１】
パネル印刷回路フィルム６９３から印加された駆動信号によって、第１基板６９１と第２基板６９５との間に電界が形成されると、第１基板６９１と第２基板６９５との間に介在された液晶層６９６の配列が変更される。これによって、第１バックライトユニット６３０又は第２バックライトユニット６５０から出射する光の透過度が変更され、表示装置６００は、所望する階調の画像を表示する。
【０１３２】
第１バックライトユニット６３０は、第１光源６３１及び第１光ガイドユニット６３３を含む。第１光源６３１は、第１光ガイドユニット６３３に第１光を出射する。第１光ガイドユニット６３３は、第１光をガイドして輝度均一性が向上された光をメイン表示部に出射する。第１光ガイドユニット６３３は、耐熱性、耐化学性、機械的強度、及び光透過性に優れた樹脂材質、例えば、ポリメチルメタクリレート（ＰＭＭＡ）からなる。
【０１３３】
第１バックライトユニット６３０は、第１光学シート６３８を更に含む。第１光学シート６３８は、第１光ガイドユニット６３３から出射した第１光の光学特性を向上させる。第１光学シート６３８は、第１反射シート６３５、第１拡散シート６３６、及び第１集光シート６３７を含む。
【０１３４】
第２バックライトユニット６５０は、第２光源６５１及び第２光ガイドユニット６５３を含む。第２光源６５１は、第２光ガイドユニット６５３に第２光を出射する。第２光ガイドユニット６５３は、第２光をガイドして輝度均一性が向上された光をサブ表示部に出射する。
【０１３５】
第２バックライトユニット６５０は、第２光学シート６５８を更に含む。第２光学シート６５８は、第２光ガイドユニット６５３から出射した光の光学特性、例えば、輝度均一性及び正面輝度を向上させる。第２光学シート６５８は、第２反射シート６５５に加え、第２拡散シート６５６や第２集光シート６５７を含む。
【０１３６】
第１側壁６１３には、第１側壁６１３の内側中央部から底板６１１を貫通する第１溝（図示せず）が形成され、第２側壁６１５には第２側壁６１５の内側中央部から底板を貫通する第２溝６１６が形成される。第１側壁６１３には、第１側壁６１３の上部から第１側壁６１３の外側面に沿って第１及び第２ガイド溝が形成される。
【０１３７】
光遮断部材６１２は、第１バックライトユニット６３０と第２バックライトユニット６５０との間に配置され、第１バックライトユニット６３０から第２バックライトユニット６５０に、又は、第２バックライトユニット６５０から第１バックライトユニット６３０に光が流出することを遮断する。
【０１３８】
光遮断部材６１２は、収納容器６１０が提供する収納空間をメイン収納領域と、サブ収納領域とに分離する。底板６１１、遮断壁６１２、第１側壁６１３、第３側壁６１７、及び第４側壁６１９はメイン収納領域を定義し、底板６１１、遮断壁６１２、第２側壁６１５、第３側壁６１７、及び第４側壁６１９は、サブ収納領域を定義する。メイン収納領域の底板６１１は第１平面積を有し、サブ収納領域の底板６１１は、第１平面積より小さい第２平面積を有する。
【０１３９】
図２１は、本発明の第８実施例による表示装置の分解斜視図である。
【０１４０】
図２１に示す表示装置７００は、バックライトアセンブリ７０５及び表示パネル７９０を含む。
【０１４１】
バックライトアセンブリ７０５は、メインモード時に第１光を出射し、サブモード時に第１光と異なる色を有する第２光を出射する。即ち、バックライトアセンブリ７０５の駆動方法は、図８乃至図１２で説明したバックライトアセンブリ３００の駆動方法と実質的に同じである。バックライトアセンブリ７０５は、光源ユニット７１０、駆動回路部７２０、光ガイドユニット７３０、及び収納容器７７０を含む。
【０１４２】
光源ユニット７１０は、電源印刷回路フィルム７１９を更に含むことを除いては、図８に示した光源ユニット３１０と実質的に同じである。
【０１４３】
電源印刷回路フィルム７１９は、ほぼＬ形状を有する。電源印刷回路フィルム７１９は、第１発光ダイオード７１１及び第２発光ダイオード７１７と電気的に連結される導電配線を含む。電源印刷回路フィルム７１９は、駆動回路部７２０に電気的に連結される。２つの第１発光ダイオード７１１がＬ形状の電源印刷回路フィルム７１９の一側の枝に一列に配置され、１つの第２発光ダイオード７１７が電源印刷回路フィルム７１９の残りの枝に配置される。
【０１４４】
駆動回路部７２０は、電源印刷回路フィルム７１９と電気的に連結され、メインモードで第１発光ダイオード７１１に電源電流を供給し、サブモードで第２発光ダイオード７１７に電源電流を供給する。駆動回路部７２０は、後述する表示パネル７９０に電気的に連結される。
【０１４５】
図２２は、図２１に示す表示装置をＶ−Ｖ’に沿って切断した断面図である。
【０１４６】
図２１及び図２２に示すように、収納容器７７０は、図１３及び図１６に示した遮断壁４７２が削除される点と、第１側壁７７３の内側に２つの第１発光ダイオード７１１がそれぞれ挿入される２つの第１溝（図示せず）が形成される点と、第２発光ダイオード７１７が挿入される第２溝（図示せず）が第４側壁７７９の内側に形成される点を除いては、図１３及び図１６に示した収納容器４７０と実質的に同じである。
【０１４７】
光ガイドユニット７３０は、導光板７３１及び光学シート７４１を含む。
【０１４８】
導光板７３１は、図８に示した光ガイドユニット３５０と実質的に同じである。光学シート７４１は、図１７に示した光学シートと実質的に同じである。
【０１４９】
光学シート７４１は、反射シート７４３、拡散シート７４５、及び集光シート７４７を含む。反射シート７４３、導光板７３１、拡散シート７４５、及び集光シート７４７は、収納容器７７０の底板７７１にその名称順に積層される。
【０１５０】
表示パネル７９０は、バックライトアセンブリ７０５から提供された第１光及び第２光に基づいて画像を表示する。表示パネル７９０は、メイン表示部ＭＤＰ及びサブ表示部ＳＤＰを含む。
【０１５１】
メイン表示部ＭＤＰは、導光板７３１の出射面７３７のメイン領域ＭＳに対応し、サブ表示部ＳＤＰは、導光板７３１の残り領域であるサブ領域ＳＳに対応する。
【０１５２】
表示パネル７９０がメイン表示部ＭＤＰを通じてメイン画像データを表示し、サブ表示部ＳＤＰがオフされるモードをメインモードと定義し、メイン表示部ＭＤＰがオフされ、サブ表示部ＳＤＰを通じて付加画像データを表示するモードをサブモードと定義する。
【０１５３】
メインモード時、バックライトアセンブリ７０５は、第１発光ダイオード７１１から出射した第１光をメイン表示部ＭＤＰに提供する。表示パネル７９０は、メインモード時、メイン表示部ＭＤＰを通じて第１光の色を変更させてメイン画像データを表示する。メイン画像データは、画像信号と文字情報等を含む。
【０１５４】
サブモード時、バックライトアセンブリ７０５は、第２発光ダイオード７１７から出射した第２光をサブ表示部ＳＤＰに提供する。表示パネル７９０は、サブモード時、サブ表示部ＳＤＰを通じて第２光の色をそのまま維持して付加画像データを表示する。付加画像データは、時間、日付、バッテリー状態等の情報を含む。
【０１５５】
図２３は、メインモードで図２１に示す表示パネルをＶ−Ｖ’に沿って切断した断面図であり、図２４は、サブモードで図２１に示す表示パネルをＶ−Ｖ’に沿って切断した断面図である。
【０１５６】
図２３及び図２４に示す表示パネル７９０は、第１基板７９１、第２基板７９５、及び液晶層７９６を含む。第１基板７９１は、下部基板７８１、スイッチング素子７８２、及び画素電極７８４を含む。
【０１５７】
下部基板７８１は、光を通過させることができる透明な材質のガラスを使用する。下部基板７８１には、メイン画素領域及びサブ画素領域が定義される。メイン画素領域及びサブ画素領域は直列配置され、メイン画素領域及びサブ画素領域には複数個の単位画素領域がマトリックス形態に形成される。
【０１５８】
スイッチング素子７８２は単位画素領域に配置され、駆動回路部７２０から印加されたメイン画像データ信号又は付加画像データ信号を指定された時間に出力する。
【０１５９】
具体的に、スイッチング素子７８２は、駆動回路部７２０からメイン画像データ信号又は付加画像データ信号の印加を受けるソース電極（ｓｏｕｒｃｅ  ｅｌｅｃｔｒｏｄｅ；ＳＥ）、メイン画像データ信号又は付加画像データ信号を出力するドレイン電極（ｄｒａｉｎ  ｅｌｅｃｔｒｏｄｅ；ＤＥ）、及びソース電極とドレイン電極をスイッチングするゲート電極（ｇａｔｅ  ｅｌｅｃｔｒｏｄｅ；ＧＥ）を含む。
【０１６０】
又、スイッチング素子７８２は、ゲート絶縁膜及び半導体層を更に含む。ゲート絶縁膜はゲート電極を覆って、ゲート電極をソース電極及びドレイン電極から絶縁させる。半導体層は、ゲート電極と対応するゲート絶縁膜上に形成され、ソース電極及びドレイン電極とそれぞれ一部がオーバーラップする。
【０１６１】
第１基板７９１は、保護絶縁膜７８３を更に含む。保護絶縁膜７８３は、スイッチング素子７８２を覆うように、下部基板７８１上に配置される。保護絶縁膜７８３には、スイッチング素子７８２のドレイン電極を露出させるコンタクトホール（ｃｏｎｔａｃｔ  ｈｏｌｅ、ＣＴ）が形成される。
【０１６２】
画素電極７８４は透明で導電性を有し、単位画素領域に対応する保護絶縁膜７８３上に形成される。画素電極７８４の一部は、コンタクトホールＣＴを通じて露出されたドレイン電極に電気的に連結される。画素電極７８４は、酸化スズインジウム（ＩＴＯ）、酸化亜鉛インジウム（ＩＺＯ）、又はアモルファス酸化スズインジウム（ａ−ＩＴＯ）等を含む。
【０１６３】
第２基板７９５は、第１基板７９１と対向するように配置される。第２基板７９５は、上部基板７８５、ブラックマトリックス７８６、カラーフィルター７８７ａ、７８７ｂ、７８７ｃ、及び共通電極７８８を含む。
【０１６４】
上部基板７８５としては、光を通過させることができる透明な材質のガラスを使用する。上部基板７８５には、メインカラー領域及びサブカラー領域が定義される。メインカラー領域は、下部基板７８１のメイン画素領域に対応し、サブカラー領域は、下部基板７８１のサブ画素領域に対応する。
【０１６５】
上部基板７８５及び下部基板７８１の材質であるガラスは、無アルカリ特性を有する。ガラスがアルカリ特性である場合、ガラスからアルカリイオンが液晶セルの中に溶出されると、液晶比抵抗が低下して表示特性が変わり、シールとガラスとの付着力を低下させ、スイッチング素子７８２の動作に悪影響を与える。
【０１６６】
上部基板７８５及び下部基板７８１には、トリアセチルセルロース（ＴＡＣ）、ポリカボネート（ＰＣ）、ポリエーテルスルホン（ＰＥＳ）、ポリエチレンテレフタレート（ＰＥＴ）、ポリエチレンナフタレート（ＰＥＮ）、ポリビニルアルコール（ＰＶＡ）、ポリメチルメタクリレート（ＰＭＭＡ）、サイクロオレフィンポリマー（ＣＯＰ）等を使用することができる。
【０１６７】
好ましくは、上部基板７８５及び上部基板７８１は、光学的に等方性である。
【０１６８】
ブラックマトリックス７８６は、液晶を制御することができない遮光領域に入射する光を遮断して、表示装置７００の画質を向上させる。具体的に、ブラックマトリックス７８６は、下部基板７８１のメイン画素領域及びサブ画素領域に形成された単位画素領域間の境界領域に対応して、上部基板７８５にマトリックス形状に形成される。
【０１６９】
ブラックマトリックス７８６は、金属、金属化合物、又は不透明な有機物を蒸着してエッチングして形成される。金属はクロム（Ｃｒ）等を含み、金属化合物は、酸化クロム（ＣｒＯｘ）、窒化クロム（ＣｒＮｘ）等を含み、不透明な有機物は、カーボンブラック、顔料混合物、染料混合物等を含む。顔料混合物は、赤色、緑色、及び青色顔料を含み、染料混合物は、赤色、緑色、及び青色染料を含む。
【０１７０】
他の実施例として、ブラックマトリックス７８６は、フォトレジスト成分を含む不透明物質を塗布した後に、写真工程を通じて形成することもできる。
【０１７１】
カラーフィルター７８７ａ、７８７ｂ、７８７ｃは、所定の波長を有する光のみを選択的に透過させる。カラーフィルター７８７ａ、７８７ｂ、７８７ｃは、上部基板７８５のメインカラー領域及びサブカラー領域のうち、メインカラー領域にのみ形成される。具体的に、カラーフィルター７８７ａ、７８７ｂ、７８７ｃは、ブラックマトリックス７８６が定義する領域内に形成される。これによって、カラーフィルター７８７ａ、７８７ｂ、７８７ｃは、赤色カラーフィルター部７８７ａ、緑色カラーフィルター部７８７ｂ、及び青色カラーフィルター部７８７ｃを含む。赤色カラーフィルター部７８７ａ、緑色カラーフィルター部７８７ｂ、及び青色カラーフィルター部７８７ｃは、下部基板７８１の単位画素領域にそれぞれ対応する。
【０１７２】
この際、赤色カラーフィルター部７８７ａ、緑色カラーフィルター部７８７ｂ、及び青色カラーフィルター部７８７ｃを一部分ずつ重畳して、ブラックマトリックス７８６を形成することもできる。
【０１７３】
カラーフィルター７８７ａ、７８７ｂ、７８７ｃは、光重合開始剤、モノマー、バインダー、顔料、分散剤、溶剤、フォトレジスト等を含む。他の実施例として、カラーフィルター７８７ａ、７８７ｂ、７８７ｃは、メイン画素領域に対応し、下部基板７８１又はスイッチング素子７８２をカバーし、下部基板７８１の全面積に形成されるパシベーション膜上に配置することもできる。
【０１７４】
図２３に示すように、メインモードでメイン表示部ＭＤＰに提供される第１光は、赤色カラーフィルター部７８７ａ、緑色カラーフィルター部７８７ｂ、及び青色カラーフィルター部７８７ｃを通過し、これによって、白色光である第１光は、赤色光、緑色光、及び青色光に変更される。
【０１７５】
一方、図２４に示すように、サブモードでサブ表示部ＳＤＰに提供される第２光は、カラーフィルター７８７ａ、７８７ｂ、７８７ｃを通過しない。従って、第２光はその色をそのまま維持し、カラーフィルター７８７ａ、７８７ｂ、７８７ｃによる光量を損失させることなく、サブ表示部ＳＤＰを透過する。
【０１７６】
共通電極７８８は、ブラックマトリックス７８６及びカラーフィルター７８７ａ、７８７ｂ、７８７ｃが形成された上部基板７８５の全面に形成される。共通電極７８８は、ＩＴＯ、ＩＺＯ、又はＺＯのような透明な導電性物質を含む。他の実施例として、共通電極７８８を下部基板７８１上に画素電極７８４と平行に配置することもできる。
【０１７７】
表示パネル７９０は、スペーサ（図示せず）を更に含む。スペーサは、ブラックマトリックス７８６、カラーフィルター７８７ａ、７８７ｂ、７８７ｃ、及び共通電極７８８が形成された上部基板７８５上に形成される。スペーサによって第１基板７９１と第２基板７９５との間にセルギャップが一定に維持される。
【０１７８】
液晶層７９６は、第１基板７９１と第２基板７９５との間に配置され、シーラント（図示せず）によって密封される。図２３及び図２４において、液晶層７９６内の液晶は、ツイスト配向（ＴＮ）モードに配列される。他の実施例として、液晶層７９６内の液晶は、垂直配向（ＶＡ）、ＭＴＭ配向（ＭＴＮ）、又はホモジニアス配向モードに配列することができる。
【０１７９】
その際、液晶を配向するために、第１基板７９１及び第２基板７９５は、互いに向かい合う面にそれぞれ配置された配向膜（図示せず）を更に含む。又、第１基板７９１は、ストレージキャパシタ（図示せず）を更に含むことができる。
【０１８０】
ストレージキャパシタは、下部基板７８１上に形成され、共通電極７８８と画素電極７８４との間の電位差を維持させる。
【０１８１】
表示パネル７９０は、パネル印刷回路フィルム７９３を更に含む。パネル印刷回路フィルム７９３は、表示パネル７９０を駆動させる駆動信号を提供する。パネル印刷回路フィルム７９３は、第１基板７９１の一方の側のエッジに電気的に連結される。
【０１８２】
収納容器７７０は、第１側壁７７３、第２側壁７７５、第３側壁７７７、及び第４側壁７７９を含む。パネル印刷回路フィルム７９３は、収納容器７７０の第１側壁７７３に形成された第１ガイド溝に沿って第１側壁７７３を囲みながら折曲される。その際、パネル印刷回路フィルム７９３の第１端子は、駆動回路部７２０と電気的に連結され、パネル印刷回路フィルム７９３の第２端子は、第１側壁７７３に形成された第２ガイド溝に沿って電源印刷回路フィルム７１９と電気的に連結される。
【０１８３】
画素電極７８４と共通電極７８８に所定の電圧が印加されると、共通電極７８８と画素電極７８４との間に形成された電場は、液晶の配列方向を変更させる。
【０１８４】
これによって、メイン表示部ＭＤＰを透過する第１光又はサブ表示部ＳＤＰを透過する第２光の透過度が変更され、表示パネル７９０は画像を表示する。
【０１８５】
具体的に、メインモード時、表示パネルは、メイン表示部ＭＤＰ内の液晶層７９６を通じて白色光である第１光の透過量を調節し、メインカラー領域に配置されたカラーフィルター７８７ａ、７８７ｂ、７８７ｃを通じて第１光の色を変更させ、所望する階調のメイン画像データを表示する。
【０１８６】
又、サブモード時、表示パネル７９０は赤色光、緑色光、及び青色光のうち、いずれか一つである第２光をサブ表示部ＳＤＰ内の液晶層７９６を通じて透過量を調節し、第２光の色をそのまま維持して、所望する付加画像データを表示する。
【０１８７】
図２５は、本発明の第９実施例による表示装置の分解斜視図である。
【０１８８】
図２５に示す表示装置９００は、バックライトアセンブリ９０５及び表示パネル９９０を含む。
【０１８９】
バックライトアセンブリ９０５は、光源ユニット９１０及び収納容器９７０を除いては、図１３乃至図１６に示したバックライトアセンブリ４００と実質的に同じである。
【０１９０】
光源ユニット９１０は、図２１に示した光源ユニット７１０と同じであるが、その駆動方法は図１３乃至図１６で説明した光源ユニット４１０の駆動方法と同じである。即ち、第１発光ダイオード９１１は、図１４に示すように、メインモードで白色光を出射し、サブモードでオフされる。一方、第２発光ダイオード９１７は、図１５に示すように、メインモード及びサブモードで赤色光、緑色光、及び青色光のうち、いずれか一つの光を出射する。従って、図２１乃至図２４で説明した表示装置７００と異なり、本実施例による表示装置９００は、サブモードのみならず、メインモードでも付加画像データを表示する。
【０１９１】
バックライトアセンブリ９０５は、光源ユニット９１０、駆動回路部９２０、光ガイドユニット９３０、及び収納容器９７０を含む。表示パネル９９０は、第１基板９９１、第２基板９９５、及び液晶層９９６を含む。
【０１９２】
光ガイドユニット９３０は、メイン導光板９３１、サブ導光板９３５、及び光学シートを含む。メイン導光板９３１は、収納容器９７０のメイン収納領域に収納され、サブ導光板９３５は収納容器９７０のサブ収納領域に収納される。
【０１９３】
メイン導光板９３１は、第１側壁９７３と向かい合う側面を通じてメイン導光板９３１に入射した第１光をバックライトアセンブリ９０５の上部側にガイドする。サブ導光板９３５は、第２側壁９７５と向かい合う側面を通じてサブ導光板９３５に入射した第２光をバックライトアセンブリ９０５の上部側にガイドする。
【０１９４】
遮断壁９７２は、メイン導光板９３１とサブ導光板９３５との間に配置され、メイン導光板９３１からサブ導光板９３５に、又は、サブ導光板９３５とメイン導光板９３１に光が流出することを遮断する。
【０１９５】
光学シートは、メイン光学シート９４１及びサブ光学シート９５１を含む。メイン光学シート９４１は、メイン導光板９３１を出射した第１光の光学特性を向上させる。メイン光学シート９４１は、メイン反射シート９４３、メイン拡散シート９４５、及びメイン集光シート９４７を含む。サブ光学シート９５１は、サブ導光板９３５を出射した第２光の光学特性を向上させる。サブ光学シート９５１は、サブ反射シート９５３、サブ拡散シート９５５、及びサブ集光シート９５７を含む。
【０１９６】
収納容器９７０は、第１側壁９７３の内側に２つの第１溝（図示せず）が形成され、第４側壁９７９の内側に１つの第２溝（図示せず）が形成される点を除いては、図１３に示した収納容器４７０と実質的に同じである。第１溝には、２つの第１発光ダイオード９１１が収納容器９７０の底板９１１から挿入され、第２溝には１つの第２発光ダイオード９１７が収納容器９７０の底板９１１から挿入される。
【０１９７】
収納容器９７０は、第１側壁９７３、第２側壁９７５、第３側壁９７７、及び第４側壁９７９を含む。パネル印刷回路フィルム９９３は、収納容器９７０の第１側壁９７３に形成された第１ガイド溝に沿って第１側壁９７３を囲みながら折曲される。その際、パネル印刷回路フィルム９９３の第１端子は、駆動回路部９２０と電気的に連結され、パネル印刷回路フィルム９９３の第２端子は、第１側壁９７３に形成された第２ガイド溝に沿って電源印刷回路フィルム９１９と電気的に連結される。
【０１９８】
一方、遮断壁９７２は、メインモードで第１光がサブ表示部ＳＤＰに、又は、第２光がメイン表示部ＭＤＰに露出されることを遮断し、表示パネル９９０の表示品質を向上させる。
【０１９９】
表示パネル９９０は、図２１乃至図２４に示した表示パネル７９０と実質的に同じである。
【０２００】
＜表示基板＞
図２６は、本発明の第１０実施例による表示基板の部分平面図であり、図２７は、図２６に示すサブ駆動領域の一部（Ａ）の拡大平面図である。
【０２０１】
図２６及び図２７に示すように、表示基板（上述した表示パネルを以下の実施例では表示基板と称する）１１００は、ベース基板１１０５、スイッチング素子１１４０、及び反射板１１８０を含む。表示基板１１００は、表示画面がメイン表示部とサブ表示部とに分割され駆動される表示装置に表示基板として採用される。
【０２０２】
ベース基板１１０５は、光が透過するガラス基板のような透明基板を含む。ベース基板１１０５は、メイン表示部に対応するメイン駆動領域１１１０及びサブ表示部に対応するサブ駆動領域１１２０を含む。メイン駆動領域１１１０及びサブ駆動領域１１２０は、互いに直列配置されベース基板１１０５を２分割する。メイン駆動領域１１１０及びサブ駆動領域１１２０には、複数個の画素領域１１１１、１１２１がマトリックス形態に形成される。
【０２０３】
図２８は、図２７に示す表示基板をＶＩ−ＶＩ’に沿って切断した断面図である。
【０２０４】
図２６乃至図２８に示すように、スイッチング素子１１４０は、ベース基板１１０５上に配置され、外部から印加された画像データを指定された時間に出力する。
【０２０５】
具体的に、スイッチング素子１１４０は、ゲート電極ＧＥを有するゲートラインＧＬ、ゲート絶縁膜１１３０、チャネルパターンＣＰ、ソース電極ＳＥを有するデータラインＤＬ、及びドレイン電極ＤＥを含む。
【０２０６】
ゲートラインＧＬは第１方向に延長される。ゲートラインＧＬは、メイン駆動領域１１１０で互いに第１間隔だけ離隔して配置され、サブ駆動領域１１２０で第１間隔より広い第２間隔だけ離隔して配置される。一方、ゲート電極ＧＥは、各ゲートラインＧＬからベース基板１１０５に沿って第１方向と実質的に直角をなす第２方向に突出される。
【０２０７】
ゲート絶縁膜１１３０は、ゲート電極ＧＥ及びゲートラインＧＬを覆って、ゲート電極ＧＥ及びゲートラインＧＬを後述するソース電極ＳＥ及びデータラインＤＬから絶縁させる。ゲート絶縁膜１１３０は、透明な窒化シリコン薄膜であることが好ましい。
【０２０８】
チャネルパターンＣＰは、ゲート電極ＧＥと対応するゲート絶縁膜１１３０上に形成される。チャネルパターンＣＰは、アモルファスシリコンパターン（ＡＳＰ）及び高濃度イオンドーピングアモルファスシリコンパターン（ｎＡＳＰ）を含む。一対の高濃度イオンドーピングアモルファスシリコンパターン（ｎＡＳＰ）は、アモルファスシリコンパターン（ＡＳＰ）の上部に互いに離隔して配置される。
【０２０９】
データラインＤＬは、ゲート絶縁膜１１３０上に配置される。データラインＤＬは第２方向に互いに平行に配置され、ゲートラインＧＬと共にメイン駆動領域１１１０及びサブ駆動領域１１２０に複数個の画素領域１１１１、１１２１を定義する。
【０２１０】
データラインＤＬは、メイン駆動領域１１１０で互いに第３間隔だけ離隔して配置される。一方、サブ駆動領域１１２０で３つのデータラインＤＬは、一対として互いに近接するように配置され、データラインＤＬの対は、互いに第３間隔より広い第４間隔だけ離隔して配置される。これによって、メイン駆動領域１１１０に形成された画素領域１１１１の広さは、サブ駆動領域１１２０に形成された画素領域１１２１の広さより小さく、又、メイン駆動領域１１１０の解像度は、サブ駆動領域１１２０の解像度より高い。
【０２１１】
一方、ソース電極ＳＥは、各データラインＤＬからベース基板１１０５に沿って第１方向に突出される。ソース電極ＳＥは、一つの高濃度イオンドーピングアモルファスシリコンパターン（ｎＡＳＰ）に電気的に連結される。
【０２１２】
ドレイン電極ＤＥは、残り一つの高濃度イオンドーピングアモルファスシリコンパターン（ｎＡＳＰ）上に電気的に連結される。ドレイン電極ＤＥは、データラインＤＬと共に形成される。
【０２１３】
図２９は、図２６に示すメイン駆動領域の一部（Ｂ）の拡大図であり、図３０は、図２９に示す表示基板をＶＩＩ−ＶＩＩ’に沿って切断した断面図である。
【０２１４】
図２６乃至図３０に示すように、表示基板１１００は、絶縁パターン１１５０及び透明電極１１７０を更に含む。
【０２１５】
絶縁パターン１１５０は、スイッチング素子１１４０を覆うように、ベース基板１１０５上に配置される。絶縁パターン１１５０は、スイッチング素子１１４０のドレイン電極ＤＥを露出させるコンタクトホールＣＴを含む。絶縁パターン１１５０は、コンタクトホールＣＴを形成するために光と反応する感光物質を含むことが好ましい。
【０２１６】
一方、サブ駆動領域１１２０に形成された絶縁パターン１１５０の上面には、図２８に示すように、エンボシングパターン１１５５が形成される。反面、メイン駆動領域１１１０に形成された絶縁パターン１１５０の上面は、図３０に示すように平坦に形成される。
【０２１７】
透明電極１１７０は透明で導電性を有し、絶縁パターン１１５０の上面に画素領域に対応して形成される。透明電極１１７０の一部は、絶縁パターン１１５０に形成されたコンタクトホールＣＴによって露出されたドレイン電極ＤＥの一部に電気的に連結される。好ましくは、透明電極１１７０には、酸化スズインジウム（ＩＴＯ）、酸化亜鉛インジウム（ＩＺＯ）、又はアモルファス酸化スズインジウム（ａ−ＩＴＯ）等を使用することができる。
【０２１８】
反射板１１８０は、光反射率に優れた金属、例えば、アルミニウムからなる薄膜を含み、外部から入射する光を反射させる。図２６、図２８、及び図３０に示すように、反射板１１８０は、メイン駆動領域１１１０には形成されず、サブ駆動領域１１２０にのみ形成される。
【０２１９】
反射板１１８０は透明電極１１７０上に配置され、透明電極１１７０と電気的に連結され反射電極を形成する。反射板１１８０は、絶縁パターン１１５０の上面に形成されたエンボシングパターン１１５５に沿って凸凹形状を有するように形成され、エンボシングパターン１１５５は、反射板１１８０の反射面積を向上させ入射光を拡散させる。
【０２２０】
一方、反射板１１８０の中央部が開口され、これによって、反射板１１８０は、サブ駆動領域１１２０内の単位画素領域１１２１を反射部１１８１と透過部１１８３とに区画する。反射板１１８０は、入射する自然光又は照明光を反射させ、透過部１１８３は、表示基板１１００の背面から提供されるバックライト光を透過させる。他の実施例として、透過部１１８３が形成される位置は、画素領域のエッジ等に多様に変更することができる。
【０２２１】
反面、図２６及び図３０に示すように、メイン駆動領域１１１０では、透明電極１１７０上に反射板１１８０が形成されず、画素領域１１１１に形成された透明電極１１７０によって透過部のみ形成される。
【０２２２】
図２８及び図３０に示すように、表示基板１１００は、配向膜１１９０を更に含む。配向膜１１９０は、透明電極１１７０及び反射板１１８０上に形成される。配向膜１１９０はポリイミド樹脂を含み、配向膜１１９０の上面には液晶を配向するための配向溝が形成される。
【０２２３】
図３１は、本発明の第１１実施例による表示基板の部分平面図である。
【０２２４】
図３１に示す表示基板１３００は、絶縁パターン及び反射板１３８０を除いては、図２６乃至図３０に示した表示基板１１００と実質的に同じである。
【０２２５】
表示基板１３００は、基板、スイッチング素子、絶縁パターン、透明電極、反射板１３８０、及び配向膜を含む。
【０２２６】
絶縁パターンは、スイッチング素子が形成されたベース基板上に形成され、絶縁パターンの上面には、メイン駆動領域１３１０及びサブ駆動領域１３２０の画素領域１３１１、１３２１に対応してエンボシングパターンが形成される。
【０２２７】
反射板１３８０は画素領域１３１１、１３２１に形成され、画素領域１３１１、１３２１を反射部１３８５、１３８１と透過部１３８７、１３８３とに区画する。これによって、メイン駆動領域１３１０及びサブ駆動領域１３２０は全部反射−透過型に形成される。
【０２２８】
＜表示基板の製造方法＞
図３２乃至図３４は、本発明の第１２実施例による表示基板の製造方法を示す断面図である、
【０２２９】
本実施例によって製造される表示基板は、図２６乃至図３０に示した表示基板１１００と実質的に同じなので、同じ構成要素については同じ図面符号を付与する。
【０２３０】
図３２に示す表示基板１１００を製造するために、まず、メイン駆動領域１１１０及びサブ駆動領域１１２０を含むベース基板１１０５上にスイッチング素子１１４０を形成する。
【０２３１】
スイッチング素子１１４０を形成するために、まず、ベース基板１１０５上に化学気相蒸着（ＣＶＤ）工程又はスパッタリング工程を通じてゲート金属層を形成する。以後、写真−エッチング工程を通じてゲート金属層をパターニングして、ゲートラインＧＬ及びゲートラインＧＬから突出されたゲート電極ＧＥを形成する。
【０２３２】
その後、ＣＶＤ工程を通じてベース基板１１０５上にゲート絶縁膜１１３０を形成する。ゲート絶縁膜１１３０は、透明なシリコン窒化膜であることが好ましい。
【０２３３】
その後、ゲート絶縁膜１１３０上に高濃度イオンドーピングアモルファスシリコン薄膜（ｎＡＳＰ  ｌａｙｅｒ）、アモルファスシリコン薄膜（ＡＳＰ  ｌａｙｅｒ）、及びソース／ドレイン薄膜（ｓｏｕｒｃｅ／ｄｒａｉｎ  ｌａｙｅｒ）をその名称順に連続的に形成する。
【０２３４】
その後、写真−エッチング工程でソース／ドレイン薄膜をパターニングして、高濃度イオンドーピングアモルファスシリコン薄膜（ｎＡＳＰ  ｌａｙｅｒ）上にソース電極ＳＥが形成されたデータラインＤＬ及びソース電極ＳＥと離隔されたドレイン電極ＤＥを形成する。
【０２３５】
その後、データラインＤＬ及びドレイン電極ＤＥをマスクして高濃度イオンドーピングシリコン薄膜（ｎＡＳＰ  ｌａｙｅｒ）及びアモルファスシリコン薄膜（ＡＳＰ  ｌａｙｅｒ）をパターニングして、ゲート絶縁膜１１３０上に高濃度イオンドーピングアモルファスシリコンパターン（ｎＡＳＰ）及びアモルファスシリコンパターン（ＡＳＰ）を形成する。
【０２３６】
図３３は、図３２に示す表示基板のメイン駆動領域の断面図であり、図３４は、図３２に示す表示基板のサブ駆動領域の断面図である。
【０２３７】
図３３及び図３４に示すように、継続して、ベース基板１１０５上に厚い保護絶縁膜を形成する。保護絶縁膜は、光と反応する感光物質を含む有機膜であることが好ましい。保護絶縁膜は、パターンマスクを通過した光によってパターニングされ、その結果、絶縁パターン１１５０が形成される。
【０２３８】
具体的に、保護絶縁膜にはスイッチング素子１１４０のドレイン電極ＤＥの一部を露出させるコンタクトホールＣＴを形成する。又、メイン駆動領域１１１０に形成された保護絶縁膜の上面は、図３３に示すように、平坦に形成され、サブ駆動領域１１２０に形成された保護絶縁膜の上面には、図３４に示すように、エンボシングパターン１１５５を形成して、絶縁パターン１１５０を形成する。
【０２３９】
その後、絶縁パターン１１５０の上面にメイン駆動領域１１１０及びサブ駆動領域１１２０の全面積にかけて、透明で導電性である導電性透明薄膜を形成し、サブ駆動領域１１２０に形成された導電性透明薄膜の上面には、反射効率に優れた金属、例えば、アルミニウム薄膜を連続して形成する。他の実施例として、サブ駆動領域１１２０には、アルミニウム薄膜を先に形成し、アルミニウム薄膜上に導電性透明薄膜を形成することができる。
【０２４０】
最後に、写真−エッチング工程によって絶縁パターン１１５０の上面に形成された導電性透明薄膜及びアルミニウム薄膜をパターニングして、絶縁パターン１１５０上にドレイン電極ＤＥと電気的に連結された透明電極１１７０及びサブ駆動領域１１２０の単位画素領域を反射部１１８１と透過部１１８３とに区画する反射板１１８０を形成する。
【０２４１】
＜表示装置＞
図３５は、本発明の第１３実施例による表示装置の部分断面図である。
【０２４２】
図３５に示す表示基板１８００は、第１基板１５００、対向する第２基板１６００、及び液晶層１７００を含む。
【０２４３】
表示基板１８００は、メイン表示部ＭＤＰ及びサブ表示部ＳＤＰを含み、メインモード時、メイン表示部及びサブ表示部を通じて画像を表示し、サブモード時、サブ表示部を通じて画像を表示する。メイン表示部は、画像信号と文字情報のようなメイン画像データを表示する。サブ表示部は、自然光又は照明光がない場合、バックライトのような人工光を利用し、自然光又は照明光が提供される場合、これを利用して時間、日付、バッテリー状態等のような付加画像データを表示する。
【０２４４】
メイン表示部及びサブ表示部に分割駆動するために、第１基板１５００は、メイン駆動領域とサブ駆動領域を含む下部基板１５０５、スイッチング素子１５４０、絶縁パターン１５５０、透明電極１５７０、反射板１５８０、及び第１配向膜１５９０を含む。表示基板１８００は、図２６乃至図３４に示した表示基板と実質的に同じなので、重複する説明は省略する。メイン駆動領域ＭＤＰ内の絶縁パターン１５５０の上面は平らで、サブ駆動領域ＳＤＰ内の絶縁パターン１５５０の上面はエンボシングパターン１５５５を含むことができる。
【０２４５】
第２基板１６００は、第１基板１５００と対向して配置される。第２基板１６００は、上部基板１６０５、カラーフィルター１６１０、共通電極１６２０、及び第２配向膜１６３０を含む。
【０２４６】
カラーフィルター１６１０は、第１基板１５００の画素領域に対応して、上部基板１６０５に配置される。カラーフィルター１６１０は、メイン駆動領域内の画素領域１５１１に対応するメインカラーフィルター１６１１、及びサブ駆動領域内の画素領域１５２１に対応するサブカラーフィルター１６１５を含む。好ましくは、カラーフィルター１６１０は、赤色光を通過させる赤色カラーフィルター、緑色光を通過させる緑色カラーフィルター、及び青色光を通過させる青色カラーフィルターを含む。
【０２４７】
共通電極１６２０は、カラーフィルター１６１０を覆うように配置される。共通電極１６２０は透明で導電性である酸化スズインジウム、酸化亜鉛インジウム、又はアモルファス酸化スズインジウム等を使用することができる。共通電極１６２０は、第１基板１５００の透明電極１５７０又は反射板１５８０と共に液晶キャパシタの電極を定義する。
【０２４８】
第２配向膜１６３０は共通電極１６２０を覆うように配置され、第２配向膜１６３０には液晶を配向するための配向溝が形成される。
【０２４９】
液晶層１７００は、第１基板１５００及び第２基板１６００の間に介在する。
【産業上の利用可能性】
【０２５０】
上述したバックライトアセンブリは、液晶表示装置、電気泳動表示装置等に使用することができ、又、表示装置は、液晶表示装置、有機電界発光表示装置、電気泳動表示装置等に適用することが可能である。
【０２５１】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【０２５２】
【図１】本発明の第１実施例によるバックライトアセンブリの斜視図である。
【図２】図１に示すバックライトアセンブリの分解斜視図である。
【図３】図２に示すバックライトアセンブリをＩ−Ｉ’に沿って切断した断面図である。
【図４】図１に示すバックライトアセンブリの駆動モードを説明するためのタイミング図である。
【図５】図１に示すバックライトアセンブリの駆動モードを説明するためのタイミング図である。
【図６】本発明の第２実施例によるバックライトアセンブリの斜視図である。
【図７】本発明の第３実施例によるバックライトアセンブリの斜視図である。
【図８】本発明の第４実施例によるバックライトアセンブリの斜視図である。
【図９】図８に示す第１光源及び第２光源にメインモードから印加される駆動信号のタイミング図である。
【図１０】図８に示す光ガイドユニットのメインモードでＩＩ−ＩＩ’に沿って切断した出射面の輝度を示すグラフである。
【図１１】図８に示す第１光源及び第２光源にサブモードから印加される駆動信号のタイミング図である。
【図１２】図８に示す光ガイドユニットのサブモードで出射面の輝度を示すグラフである。
【図１３】本発明の第５実施例によるバックライトアセンブリの分解斜視図である。
【図１４】図１３に示す第１発光ダイオード及び第２発光ダイオードに印加される駆動信号のタイミング図である。
【図１５】図１３に示す第１発光ダイオード及び第２発光ダイオードに印加される駆動信号のタイミング図である。
【図１６】図１３に示すバックライトアセンブリをＩＩＩ−ＩＩＩ’に沿って切断した断面図である。
【図１７】本発明の第６実施例によるバックライトアセンブリの断面図である。
【図１８】本発明の第７実施例による表示装置の斜視図である。
【図１９】図１８に示す表示装置の分解斜視図である。
【図２０】図１９に示す表示装置をＩＶ−ＩＶ’に沿って切断した断面図である。
【図２１】本発明の第８実施例による表示装置の分解斜視図である。
【図２２】図２１に示す表示装置をＶ−Ｖ’に沿って切断した断面図である。
【図２３】メインモードで図２１に示す表示パネルをＶ−Ｖ’に沿って切断した断面図である。
【図２４】サブモードで図２１に示す表示パネルをＶ−Ｖ’に沿って切断した断面図である。
【図２５】本発明の第９実施例による表示装置の分解斜視図である。
【図２６】本発明の第１０実施例による表示基板の平面図である。
【図２７】図２６に示すサブ駆動領域の一部（Ａ）の拡大平面図である。
【図２８】図２７に示す表示基板をＶＩ−ＶＩ’に沿って切断した断面図である。
【図２９】図２６に示すメイン駆動領域の一部（Ｂ）の拡大図である。
【図３０】図２９に示す表示基板をＶＩＩ−ＶＩＩ’に沿って切断した断面図である。
【図３１】本発明の第１１実施例による表示基板の部分平面図である。
【図３２】本発明の第１２実施例による表示基板の製造方法を示す断面図である。
【図３３】本発明の第１２実施例による表示基板の製造方法を示す断面図である。
【図３４】本発明の第１２実施例による表示基板の製造方法を示す断面図である。
【図３５】本発明の第１３実施例による表示基板の断面図である。
【符号の説明】
【０２５３】
１００、２４０、２８０、３００、４００、５００、７０５、９０５    バックライトアセンブリ
１０５、２２０、３２０、４２０    電源供給部
１１０、４７０、６１０、７７０、９７０    収納容器
１１１、４７１、５７１、７７１    底板
１１２、４７２、６１２、９７２    遮断壁（光遮断部材）
１１３、４７３、６１３、７７３、９７３    第１側壁
１１５、４７５、６１５、７７５、９７５    第２側壁
１１６、４７６、６１６    第２溝
１１７、４７７、６１７、７７７    第３側壁
１１９、４７９、６１９、７７９    第４側壁
１３０、６３０    第１バックライトユニット
１３１、２５１、２５３、３１１、３１３、４１１、６３１、７１１、９１１    第１光源（第１発光ダイオード）
１３３、６３３    第１光ガイドユニット
１３５、６３５    第１反射シート
１３６、６３６    第１拡散シート
１３７、６３７    第１集光シート
１３８、６３８    第１光学シート
１５０、６５０    第２バックライトユニット
１５１、２５５、３１５、４１７、６５１、７１７、９１７    第２光源（第２発光ダイオード）
１５３、６５３    第２光ガイドユニット
１５５、６５５    第２反射シート
１５６、６５６    第２拡散シート
１５７、６５７    第２集光シート
１５８、６５８    第２光学シート
１７０、４１９、６７０、７１９、９１９    電源印刷回路フィルム
１７１    電源供給線
２１１、２５０、３１０、４１０、７１０、９１０    光源ユニット
２３０、２７０、３５０、４３０、６３０、７３０、９３０    光ガイドユニット
２３１、２７１    入射面
２３５、２７５、３５５、７３７    出射面
３１１、３１３、３１５、４１１、４１７    発光ダイオード
３５１    第１側面
３５３    第２側面
４３１、５３１、９３１    メイン導光板
４３５、５３５、９３５    サブ導光板
４４１、９４１    メイン光学シート
４４３、９４３    メイン反射シート
４４５、９４５    メイン拡散シート
４４７、９４７    メイン集光シート
４５１、９５１    サブ光学シート
４４３、９５３    サブ反射シート
４４５、９５５    サブ拡散シート
４４７、９５７    サブ集光シート
５３７    反射膜
５４３、７４３    反射シート
５４５、７４５    拡散シート
５４７、７４７    集光シート
６００、７００、９００    表示装置
６２０、７２０、９２０    駆動回路部
６９０、７９０、９９０    表示パネル
６９３、７９３、９９３    パネル印刷回路フィルム
６９１、７９１、９９１、１５００    第１基板
６９５、７９５、９９５、１６００    第２基板
６９６、７９６、９９６、１７００    液晶層
７３１    導光板
７４１    光学シート
７８１、１５０５    下部基板
７８２、１５４０    スイッチング素子
７８３    保護絶縁膜
７８４    画素電極
７８５、１６０５    上部基板
７８６    ブラックマトリックス
７８７ａ、７８７ｂ、７８７ｃ    カラーフィルター（赤色、緑色、青色）
７８８、１６２０    共通電極
１１００、１３００、１８００    表示基板
１１０５    ベース基板
１１１０、１３１０    メイン駆動領域
１１２０、１３２０    サブ駆動領域
１１１１、１１２１、１３１１、１３２１、１５１１、１５２１    画素領域
１１３０    ゲート絶縁膜
１１４０、１５４０    スイッチング素子
１１５０、１５５０    絶縁パターン
１１５５、１５５５    エンボシングパターン
１１７０、１５７０    透明電極
１１８０、１３８０、１５８０    反射板
１１８１、１３８１、１３８５    反射部
１１８３、１３８３、１３８７    透過部
１１９０    配向膜
１５９０    第１配向膜
１６１０    カラーフィルター
１６１１    メインカラーフィルター
１６１５    サブカラーフィルター
１６３０    第２配向膜
【図１】
2007027099.tif 000003
【図２】
2007027099.tif 000004
【図３】
2007027099.tif 000005
【図４】
2007027099.tif 000006
【図５】
2007027099.tif 000007
【図６】
2007027099.tif 000008
【図７】
2007027099.tif 000009
【図８】
2007027099.tif 000010
【図９】
2007027099.tif 000011
【図１０】
2007027099.tif 000012
【図１１】
2007027099.tif 000013
【図１２】
2007027099.tif 000014
【図１３】
2007027099.tif 000015
【図１４】
2007027099.tif 000016
【図１５】
2007027099.tif 000017
【図１６】
2007027099.tif 000018
【図１７】
2007027099.tif 000019
【図１８】
2007027099.tif 000020
【図１９】
2007027099.tif 000021
【図２０】
2007027099.tif 000022
【図２１】
2007027099.tif 000023
【図２２】
2007027099.tif 000024
【図２３】
2007027099.tif 000025
【図２４】
2007027099.tif 000026
【図２５】
2007027099.tif 000027
【図２６】
2007027099.tif 000028
【図２７】
2007027099.tif 000029
【図２８】
2007027099.tif 000030
【図２９】
2007027099.tif 000031
【図３０】
2007027099.tif 000032
【図３１】
2007027099.tif 000033
【図３２】
2007027099.tif 000034
【図３３】
2007027099.tif 000035
【図３４】
2007027099.tif 000036
【図３５】
2007027099.tif 000037